(57)【要約】表示部（１１０）が、情報を入力するための複数の入力領域を表示し、入力部（１２０）が、複数の入力領域のうち、接触または近接された位置が含まれる入力領域に基づいた情報を入力し、領域編集部（１３０）が、入力部（１２０）への入力に基づいて、入力領域の配置を編集し、領域制御部（１４０）が、領域編集部（１３０）が編集した結果に基づいて、表示部（１１０）が表示する入力領域を制御する。
2012153565.tif 000002
【特許請求の範囲】
【請求項１】
情報を入力するための複数の入力領域を表示する表示部と、
前記複数の入力領域のうち、接触または近接された位置が含まれる入力領域に基づいた情報を入力する入力部と、
前記入力部への入力に基づいて、前記入力領域の配置を編集する領域編集部と、
前記領域編集部が編集した結果に基づいて、前記表示部が表示する前記入力領域を制御する領域制御部とを有する入力装置。
【請求項２】
請求項１に記載の入力装置において、
所定の操作を判別する操作判別部と、
前記操作と、前記領域編集部が編集した前記入力領域の配置とを対応付けて記憶する記憶部とを有し、
前記領域制御部は、前記操作判別部が判別した操作に対応する前記入力領域を前記記憶部から読み出し、前記表示部が表示する前記入力領域を制御することを特徴とする入力装置。
【請求項３】
請求項２に記載の入力装置において、
前記領域編集部は、前記入力領域の配置に加え、該入力領域の形状を編集することを特徴とする入力装置。
【請求項４】
請求項３に記載の入力装置において、
前記記憶部は、前記操作と、前記領域編集部が編集した形状とも対応付けて記憶し、
前記領域制御部は、前記操作判別部が判別した操作に対応する前記入力領域を前記記憶部から読み出し、前記表示部が表示する前記入力領域を制御することを特徴とする入力装置。
【請求項５】
請求項２乃至４のいずれか１項に記載の入力装置において、
前記操作判別部は、圧力センサーであることを特徴とする入力装置。
【請求項６】
情報を入力する入力方法であって、
前記情報を入力するための複数の入力領域を表示する処理と、
前記複数の入力領域のうち、接触または近接された位置が含まれる入力領域に基づいた情報を入力する入力処理と、
前記入力処理における入力に基づいて、前記入力領域の配置を編集する処理と、
前記編集した結果に基づいて、前記表示する前記入力領域を制御する処理とを行う入力方法。
【請求項７】
コンピュータに、
情報を入力するための複数の入力領域を表示する手順と、
前記複数の入力領域のうち、接触または近接された位置が含まれる入力領域に基づいた情報を入力する入力手順と、
前記入力手順における入力に基づいて、前記入力領域の配置を編集する手順と、
前記編集した結果に基づいて、前記表示する前記入力領域を制御する手順とを実行させるためのプログラム。
【発明の詳細な説明】
【技術分野】
【０００１】
本発明は、情報を入力する入力装置、入力方法およびプログラムに関する。
【背景技術】
【０００２】
近年の携帯端末等の入力装置には、タッチパネルが搭載されており、このタッチパネルへ指を触れたり、接近させたりして、文字入力が可能である。このようなタッチパネルが搭載された入力装置に文字入力、ダイヤル入力を行う場合、タッチパネル上に表示された入力キーボタンを押すことで、これらの入力を実現する。【０００３】
携帯端末等の小型の入力装置においては、片手で携帯端末を保持したまま、その片手の指（例えば、親指）でタッチパネルのキーを押すことで、もう一方の手を用いずに入力操作を行うことができる。このような文字入力の操作を行う場合、親指の付け根付近に表示されている入力キーが押しづらく、誤入力が発生しやすい。そのため、操作性も悪い。【０００４】
そこで、入力キーの配置を、操作に応じた適当な配置へ変更する技術が考えられている（例えば、特許文献１，２参照。）。
【先行技術文献】
【特許文献】
【０００５】
【特許文献１】特開２００８−０２７１８３号公報
【特許文献２】特開２０１０−１８２０７１号公報
【発明の概要】
【発明が解決しようとする課題】
【０００６】
しかしながら、特許文献１，２に記載されたような技術においては、入力キーの配置をあらかじめ設定された配置へ変更するため、必ずしも操作性の良い入力キーに変更できるとは言い切れないという問題点がある。【０００７】
本発明の目的は、上述した課題を解決する入力装置、入力方法およびプログラムを提供することである。
【課題を解決するための手段】
【０００８】
本発明の入力装置は、
情報を入力するための複数の入力領域を表示する表示部と、
前記複数の入力領域のうち、接触または近接された位置が含まれる入力領域に基づいた情報を入力する入力部と、
前記入力部への入力に基づいて、前記入力領域の配置を編集する領域編集部と、
前記領域編集部が編集した結果に基づいて、前記表示部が表示する前記入力領域を制御する領域制御部とを有する。【０００９】
また、本発明の入力方法は、
情報を入力する入力方法であって、
前記情報を入力するための複数の入力領域を表示する処理と、
前記複数の入力領域のうち、接触または近接された位置が含まれる入力領域に基づいた情報を入力する入力処理と、
前記入力処理における入力に基づいて、前記入力領域の配置を編集する処理と、
前記編集した結果に基づいて、前記表示する前記入力領域を制御する処理とを行う。【００１０】
また、本発明のプログラムは、
コンピュータに実行させるプログラムであって、
情報を入力するための複数の入力領域を表示する手順と、
前記複数の入力領域のうち、接触または近接された位置が含まれる入力領域に基づいた情報を入力する入力手順と、
前記入力手順における入力に基づいて、前記入力領域の配置を編集する手順と、
前記編集した結果に基づいて、前記表示する前記入力領域を制御する手順とを実行させる。
【発明の効果】
【００１１】
以上説明したように、本発明においては、操作性の良い入力キーを表示することができる。
【図面の簡単な説明】
【００１２】
【図１】本発明の入力装置の実施の一形態を示す図である。
【図２】図１に示した入力装置の詳細な内部構造を示す図である。
【図３】図２に示した記憶部に記憶されている操作と入力領域の配置との対応付けの一例を示す図である。
【図４】図２に示した入力装置の外観の一例を示す図である。
【図５】図２に示した表示部に表示された入力領域の配置の一例を示す図である。
【図６】本形態における入力領域の配置を編集する編集処理を説明するためのフローチャートである。
【図７】図５に示した編集キーが選択された様子を示す図である。
【図８】表示部に表示された編集メニューの一例を示す図である。
【図９】表示部に表示されたサイズメニューの一例を示す図である。
【図１０】表示部に表示されたスタイルメニューの一例を示す図である。
【図１１】表示部に表示された操作メニューの一例を示す図である。
【図１２】登録処理において、表示部に表示された登録メニューの一例を示す図である。
【図１３】本形態における入力領域の配置を制御して表示する表示処理を説明するためのフローチャートである。
【図１４】入力装置が両手で保持されている場合の様子を示す図である。
【図１５】入力装置が左手で保持されている場合の様子を示す図である。
【図１６】入力装置が右手で保持されている場合の様子を示す図である。
【図１７】表示部に配置された入力領域の一例を示す図である。
【図１８】図１７に示した配置で入力領域が表示された状態で、学習キーが選択された後の表示部に配置された入力領域の一例を示す図である。
【発明を実施するための形態】
【００１３】
以下に、本発明の実施の形態について図面を参照して説明する。
【００１４】
図１は、本発明の入力装置の実施の一形態を示す図である。
【００１５】
本形態における入力装置１００には図１に示すように、表示部１１０と、入力部１２０と、領域編集部１３０と、領域制御部１４０とが設けられている。なお、この入力装置１００は、携帯電話機、携帯端末、タブレット型やノート型のＰＣ（Ｐｅｒｓｏｎａｌ  Ｃｏｍｐｕｔｅｒ）、電子書籍端末、スマートフォン、ＰＤＡ（Ｐｅｒｓｏｎａｌ  Ｄｉｇｉｔａｌ  Ａｓｓｉｓｔａｎｔｓ）、ゲーム機等、タッチパネル機能が具備された装置に適用することが可能である。
【００１６】
表示部１１０は、情報を入力するための複数の入力領域を表示するディスプレイである。この入力領域は、例えば、数字やアルファベット、日本語の仮名が表示された一般的な入力キーや、発信、終話やクリア、また決定等の指示を入力する制御キー等である。
【００１７】
入力部１２０は、複数の入力領域のうち、接触または近接された位置が含まれる入力領域に基づいた情報を入力する。例えば、「１」が記入された入力キーの入力領域に指が接触した場合、入力装置１００に「１」が入力される。なお、表示部１１０と入力部１２０とからタッチパネルを構成する。
【００１８】
領域編集部１３０は、入力領域の配置を編集する。また、領域編集部１３０は、入力領域の配置に加えて入力領域の形状（サイズやスタイル等）を編集する。この編集には、入力部１２０が用いられ、入力部１２０への操作（入力）内容に基づいて、入力領域の編集が行われる。
【００１９】
領域制御部１４０は、領域編集部１３０が編集した結果に基づいて、表示部１１０が表示する入力領域を制御する。ここで、領域制御部１４０は、表示部１１０が表示する入力領域の配置を、領域編集部１３０が編集した配置へ制御する。また、領域編集部１３０が、入力領域の配置および形状を編集した場合、領域制御部１４０は、表示部１１０が表示する入力領域の配置および形状を、領域編集部１３０が編集した配置および形状へ制御する。
【００２０】
図２は、図１に示した入力装置１００の詳細な内部構造を示す図である。
【００２１】
本形態における入力装置１００には図１に示すように、表示部１１０と、入力部１２０と、領域編集部１３０と、領域制御部１４０と、操作判別部１５０と、記憶部１６０とが設けられている。なお、図２には、入力装置１００が具備する構成要素のうち、本発明に関わる構成要素のみを示した。
【００２２】
表示部１１０は、図１に示したものと同じである。
【００２３】
入力部１２０は、図１に示したものと同じである。
【００２４】
領域編集部１３０は、図１に示したものと同じである。
【００２５】
操作判別部１５０は、所定の操作を判別する。例えば、操作判別部１５０は、圧力センサーであって、検知した圧力に基づいて、入力装置１００を保持している利用者が、左右どちらの手で入力装置１００を保持しているかを判別する。また、操作判別部１５０は、判別した操作を領域制御部１４０へ出力する。
【００２６】
記憶部１６０は、操作判別部１５０が判別する操作と、領域編集部１３０が編集した配置とを対応付けて記憶する。
【００２７】
図３は、図２に示した記憶部１６０に記憶されている操作と入力領域の配置との対応付けの一例を示す図である。
【００２８】
図２に示した記憶部１６０には図３に示すように、操作と、入力領域情報と、座標とが対応付けられて記憶されている。
【００２９】
「操作」は、操作判別部１５０が判別する操作の内容である。
【００３０】
「入力領域情報」は、入力領域を示す情報であり、図３に示すように、この入力領域が選択された場合に入力される数字や文字等であっても良い。
【００３１】
「座標」は、入力領域が表示される表示部１１０上の座標であり、入力領域の配置を示すものである。この座標は、入力領域の中心の座標であっても良いし、入力領域の所定の位置（例えば、右上角）であっても良い。
【００３２】
領域制御部１４０は、操作判別部１５０が判別した操作に対応する入力領域の配置を記憶部１６０から読み出す。そして、領域制御部１４０は、表示部１１０が表示する入力領域の配置を、記憶部１６０から読み出した配置へ制御する。つまり、領域制御部１４０は、記憶部１６０から読み出した入力領域の配置が、現在表示部１１０に表示されている配置と異なる場合、表示部１１０に表示する入力領域の配置を、記憶部１６０から読み出した配置へ変更する。
【００３３】
領域制御部１４０における具体的な制御方法について、図３に示した対応付けが記憶部１６０に記憶されている場合を例に挙げて説明する。
【００３４】
図３に示すように、操作「左手保持」と、入力領域情報「５Ｅ」および座標（１００，２００）、入力領域情報「１Ａ」および座標（８０，１８０）、入力領域情報「２Ｂ」および座標（１２０，１８０）とが対応付けられている。また、操作「右手保持」と、入力領域情報「５Ｅ」および座標（１１０，２００）、入力領域情報「１Ａ」および座標（１００，１８０）、入力領域情報「２Ｂ」および座標（１４０，１８０）とが対応付けられている。この場合、操作判別部１５０が、入力装置１００を保持している利用者が、左手で入力装置１００を保持していると判別すると、記憶部１６０にて操作「左手保持」と対応付けられている入力領域の配置が読み出され、「５Ｅ」の入力領域が座標（１００，２００）に配置され、「１Ａ」の入力領域が座標（８０，１８０）に配置され、「２Ｂ」の入力領域が座標（１２０，１８０）に配置される。また、操作判別部１５０が、入力装置１００を保持している利用者が、右手で入力装置１００を保持していると判別すると、記憶部１６０にて操作「右手保持」と対応付けられている入力領域の配置が読み出され、「５Ｅ」の入力領域が座標（１１０，２００）に配置され、「１Ａ」の入力領域が座標（１００，１８０）に配置され、「２Ｂ」の入力領域が座標（１４０，１８０）に配置される。
【００３５】
また、記憶部１６０は、領域編集部１３０が、入力領域の配置および形状を編集した場合、操作判別部１５０が判別する操作と、領域編集部１３０が編集した配置および形状とを対応付けて記憶するものであっても良い。この場合、領域制御部１４０は、操作判別部１５０が判別した操作に対応する入力領域の配置および形状を記憶部１６０から読み出す。そして、領域制御部１４０は、表示部１１０が表示する入力領域の配置および形状を、記憶部１６０から読み出した配置および形状へ制御する。つまり、領域制御部１４０は、記憶部１６０から読み出した入力領域の配置および形状が、現在表示部１１０に表示されている配置および形状と異なる場合、表示部１１０に表示する入力領域の配置および形状を、記憶部１６０から読み出した配置および形状へ変更する。
【００３６】
なお、記憶部１６０に記憶されている対応付けは、領域制御部１４０が、操作判別部１５０が判別した操作に対応する入力領域の配置や形状を取得できるものであれば良い。
【００３７】
図４は、図２に示した入力装置１００の外観の一例を示す図である。
【００３８】
図２に示した入力装置１００は図４に示すように、筺体の左右の側面それぞれに、へこみが操作判別部１５０として設けられている。この部分は、片手で入力装置１００を保持したときに、人差し指がかかる範囲に設けられていることが好ましい。この場合、例えば、図４にて右側の操作判別部１５０が圧力を検知した場合、入力装置１００が左手で保持されていると判別する。また、図４にて左側の操作判別部１５０が圧力を検知した場合、入力装置１００が右手で保持されていると判別する。
【００３９】
図５は、図２に示した表示部１１０に表示された入力領域の配置の一例を示す図である。
【００４０】
図５に示すように、編集キー１２１、決定キー１２２、学習キー１２３、矢印（方向）キー、クリアキー、発信キー、終話キー、数字仮名キー等の入力領域が所定の配置で表示される。
【００４１】
以下に、本形態における入力方法について説明する。まずは、本形態における入力領域の配置を編集する編集処理について説明する。
【００４２】
図６は、本形態における入力領域の配置を編集する編集処理を説明するためのフローチャートである。
【００４３】
まず、ステップ１にて、図５に示した編集キー１２１が選択されたかどうかを入力部１２０が判定する。ここで、編集キー１２１への接触または近接が検知された場合、編集キー１２１が選択されたと判定するものである。以下、他のキーの選択についても同様である。
【００４４】
図７は、図５に示した編集キー１２１が選択された様子を示す図である。
【００４５】
図７に示すように、編集キー１２１に指が接触または近接することで、入力部１２０は、編集キー１２１が選択されたと判定する。
【００４６】
入力部１２０が、編集キー１２１が選択されたと判定すると、ステップ２にて、表示部１１０が編集メニューを表示する。
【００４７】
図８は、表示部１１０に表示された編集メニューの一例を示す図である。
【００４８】
図８に示すように、表示部１１０上に、入力領域を編集するための編集メニュー１２４が表示される。この編集メニュー１２４には、入力領域の大きさ（キーサイズ）やスタイルである形状および入力領域の配置（キー配置）を編集するメニューが含まれる。
【００４９】
ステップ３にて、図８に示した編集メニュー１２４の「１．キーサイズ」が選択されると、ステップ４にて、入力領域の大きさを編集するキーサイズ編集処理を領域編集部１３０が行う。
【００５０】
キーサイズ編集処理では、表示部１１０が入力領域の大きさを指定するためのサイズメニューを表示する。
【００５１】
図９は、表示部１１０に表示されたサイズメニューの一例を示す図である。
【００５２】
図９に示すように、表示部１１０上に、入力領域の大きさを編集するためのサイズメニュー１２５が表示される。このサイズメニュー１２５は、入力領域の大きさ（キーサイズ）を、「１．大」、「２．中」、「３．小」および「４．極小」のうちから選択できるメニューである。この４つの選択肢のうちから所望のものを選択することで、入力領域の大きさを決定する。この処理を、大きさを編集する必要がある入力領域（キー）それぞれについて行う。なお、図９に示したサイズメニュー１２５は一例であり、ほかに「極大」等やサイズを示す数値が表示されるものであっても良い。また、このサイズは、入力装置１００を縦に保持した場合と、横に保持した場合とで、異なるものとしても良い。
【００５３】
大きさを編集する必要がある入力領域すべてについて、大きさの編集処理が完了し、決定キー１２２が選択されると、表示部１１０は、図８に示した編集メニュー１２４を表示する。
【００５４】
続いて、ステップ５にて、図８に示した編集メニュー１２４の「２．スタイル（縦横）」が選択されると、ステップ６にて、入力領域のスタイルを編集するキースタイル編集処理を領域編集部１３０が行う。
【００５５】
なお、大きさを編集する必要がある入力領域すべてについて、大きさの編集処理が完了し、決定キー１２２が選択されると、編集メニュー１２４を表示せずにキースタイル編集処理を開始するものであっても良い。
【００５６】
キースタイル編集処理では、表示部１１０が入力領域のスタイルを指定するためのスタイルメニューを表示する。
【００５７】
図１０は、表示部１１０に表示されたスタイルメニューの一例を示す図である。
【００５８】
図１０に示すように、表示部１１０上に、入力領域のスタイルを編集するためのスタイルメニュー１２６が表示される。このスタイルメニュー１２６は、入力領域のスタイル（縦横）を、「１．縦長」、「２．横長」および「３．縦横同じ」のうちから選択できるメニューである。この３つの選択肢のうちから所望のものを選択することで、入力領域のスタイルを決定する。この処理を、スタイルを編集する必要がある入力領域（キー）それぞれについて行う。なお、図１０に示したスタイルメニュー１２６は一例であり、ほかに「円形」、「楕円形」等が表示されるものであっても良い。
【００５９】
スタイルを編集する必要がある入力領域すべてについて、スタイルの編集処理が完了し、決定キー１２２が選択されると、表示部１１０は、図８に示した編集メニュー１２４を表示する。
【００６０】
ステップ７にて、図８に示した編集メニュー１２４の「３．キー配置」が選択されると、ステップ８にて、入力領域の配置を編集するキー配置編集処理を領域編集部１３０が行う。
【００６１】
なお、スタイルを編集する必要がある入力領域すべてについて、スタイルの編集処理が完了し、決定キー１２２が選択されると、編集メニュー１２４を表示せずにキー配置編集処理を開始するものであっても良い。
【００６２】
キー配置編集処理では、領域編集部１３０が、入力領域それぞれについて、その配置を編集する。例えば、表示部１１０が、キーを１つずつ強調表示（例えば、表示色を変える、キーの枠を太枠にする等）し、強調表示されたキーを配置したい位置へ指を接触または近接させることで、当該キー（入力領域）の配置を決定するものであっても良い。
【００６３】
配置を編集する必要がある入力領域すべてについて、配置の編集処理が完了し、決定キー１２２が選択されると、ステップ９にて、操作の内容を編集する操作編集処理を領域編集部１３０が行う。
【００６４】
操作編集処理では、表示部１１０が操作を指定するための操作メニューを表示する。
【００６５】
図１１は、表示部１１０に表示された操作メニューの一例を示す図である。
【００６６】
図１１に示すように、表示部１１０上に、操作を編集するための操作メニュー１２７が表示される。この操作メニュー１２７は、操作判別部１５０が判別する操作の内容を、「１．左手」および「２．右手」のうちから選択できるメニューである。この２つの選択肢のうちから所望のものを選択することで、操作判別部１５０が判別する操作の内容を決定する。なお、図１１に示した操作メニュー１２７は一例であり、ほかに「左手右手共通」等が表示されるものであっても良い。
【００６７】
操作判別部１５０が判別する操作の内容が選択されると、操作編集処理が完了し、ステップ１０にて、これまで編集された内容を記憶部１６０に登録する登録処理を領域制御部１４０が行う。
【００６８】
図１２は、登録処理において、表示部１１０に表示された登録メニューの一例を示す図である。
【００６９】
図１２に示すように、登録を行うかどうかを確認するメッセージである登録メニュー１２８が表示される。
【００７０】
登録メニュー１２８が表示された状態で、決定キー１２２が選択されると、登録処理が完了する。
【００７１】
なお、この編集処理は、左手および右手それぞれについて１つずつの登録ではなく、複数の登録を行うものであっても良い。また、左手や右手の操作にかかわらず、つまり、操作の編集において「左手右手共通」を指定して、複数の登録を行うものであっても良い。
【００７２】
次に、本形態における入力領域の配置を制御して表示する表示処理について説明する。
【００７３】
図１３は、本形態における入力領域の配置を制御して表示する表示処理を説明するためのフローチャートである。
【００７４】
まず、ステップ１１にて、操作判別部１５０が、入力装置１００を保持している利用者が、左右どちらの手で入力装置１００を保持しているかを判別する。
【００７５】
操作判別部１５０が、入力装置１００を保持している利用者が、左手で入力装置１００を保持していると判別した場合、ステップ１２にて、領域制御部１４０が、記憶部１６０から左手の操作に対応する入力領域の配置を読み出す。
【００７６】
一方、操作判別部１５０が、入力装置１００を保持している利用者が、右手で入力装置１００を保持していると判別した場合、ステップ１３にて、領域制御部１４０が、記憶部１６０から右手の操作に対応する入力領域の配置を読み出す。
【００７７】
そして、ステップ１４にて、領域制御部１４０が、表示部１１０が表示している入力領域を、記憶部１６０から読み出した配置へ変更し、変更された配置で表示部１１０が入力領域を表示する。この配置の変更後は、変更後の配置に応じた入力領域への情報の入力が行われることは言うまでもない。
【００７８】
図１４は、入力装置１００が両手で保持されている場合の様子を示す図である。
【００７９】
図１５は、入力装置１００が左手で保持されている場合の様子を示す図である。
【００８０】
図１６は、入力装置１００が右手で保持されている場合の様子を示す図である。
【００８１】
図１４〜１６に示すように、利用者が入力装置１００を保持している状態に応じて、入力領域の配置が制御される。
【００８２】
また、上述したように複数の登録がされている場合、その登録を読み出す処理を説明する。
【００８３】
図１７は、表示部１１０に配置された入力領域の一例を示す図である。
【００８４】
図１７に示すような配置で入力領域が表示された状態で、学習キー１２３を選択することで、領域制御部１４０が、記憶部１６０から複数の登録を読み出し、読み出された配置へ変更する。
【００８５】
図１８は、図１７に示した配置で入力領域が表示された状態で、学習キー１２３が選択された後の表示部１１０に配置された入力領域の一例を示す図である。
【００８６】
図１８に示すように、図１７に示した配置で入力領域が表示された状態で、学習キー１２３が選択されると、領域制御部１４０が、記憶部１６０から複数の登録のうちの１つを読み出し、読み出された配置へ変更する。
【００８７】
このように、複数の登録がされている場合、学習キー１２３が選択される度に、領域制御部１４０が、複数の登録を記憶部１６０から順次読み出し、読み出された登録の配置へ変更する。
【００８８】
また、アプリケーションごとに上述したような入力領域の配置や形状を登録しておき、起動したアプリケーションに応じて入力領域の配置や形状を制御するものであっても良い。
【００８９】
なお、上述した例では、入力領域に表示される情報が、数字および文字（説明の便宜上、アルファベット「Ａ」〜「Ｊ」）である場合を例に挙げて説明したが、この文字は、日本語の仮名や複数のアルファベットを含むものであっても良い。また、数字と、仮名と、アルファベット（ａ，ｂ，ｃ等）とで、互いに異なる配置に制御するものであっても良い。例えば、上述した例では、「５」と「Ａ」とが同じ入力領域であるが、「５」と「Ａ」とが互いに異なる入力領域に制御するものであっても良い。また、「５Ａ」と「５Ｅ」とのように、数字と文字との組み合わせを互いに異なるものとするように制御するものであっても良い。
【００９０】
また、編集キー１２１、決定キー１２２および学習キー１２３等の制御キーの配置をも制御するものであっても良い。
【００９１】
上述したように、本発明によれば、入力キー（入力領域）の配置を、左右の手持ちに対応じた好みの入力キー配置を記憶しておき、片手で入力装置を保持した状態で、その手の指の接触または近接でタッチパネル上へ文字や数字等の入力を行った場合、保持している手の判別の結果に応じた入力キー配置を表示することで、左右どちらでも素早い入力と誤操作を軽減できる効果がある。
【００９２】
上述した入力装置１００に設けられた各構成要素が行う処理は、目的に応じてそれぞれ作製された論理回路で行うようにしても良い。また、処理内容を手順として記述したコンピュータプログラム（以下、プログラムと称する）を入力装置１００にて読取可能な記録媒体に記録し、この記録媒体に記録されたプログラムを入力装置１００に読み込ませ、実行するものであっても良い。入力装置１００にて読取可能な記録媒体とは、フロッピー（登録商標）ディスク、光磁気ディスク、ＤＶＤ、ＣＤなどの移設可能な記録媒体の他、入力装置１００に内蔵された記憶部１６０、ＲＯＭ、ＲＡＭ等のメモリやＨＤＤ等を指す。この記録媒体に記録されたプログラムは、入力装置１００に設けられたＣＰＵ（不図示）にて読み込まれ、ＣＰＵの制御にて、上述したものと同様の処理が行われる。ここで、ＣＰＵは、プログラムが記録された記録媒体から読み込まれたプログラムを実行するコンピュータとして動作するものである。
【００９３】
以上、実施の形態を参照して本願発明を説明したが、本願発明は上記実施の形態に限定されるものではない。本願発明の構成や詳細には、本願発明のスコープ内で当業者が理解し得る様々な変更をすることができる。
【００９４】
この出願は、２０１１年５月１１日に出願された日本出願特願２０１１−１０６０６４を基礎とする優先権を主張し、その開示の全てをここに取り込む。
【図１】
2012153565.tif 000003
【図２】
2012153565.tif 000004
【図３】
2012153565.tif 000005
【図４】
2012153565.tif 000006
【図５】
2012153565.tif 000007
【図６】
2012153565.tif 000008
【図７】
2012153565.tif 000009
【図８】
2012153565.tif 000010
【図９】
2012153565.tif 000011
【図１０】
2012153565.tif 000012
【図１１】
2012153565.tif 000013
【図１２】
2012153565.tif 000014
【図１３】
2012153565.tif 000015
【図１４】
2012153565.tif 000016
【図１５】
2012153565.tif 000017
【図１６】
2012153565.tif 000018
【図１７】
2012153565.tif 000019
【図１８】
2012153565.tif 000020
【国際調査報告】
2012153565.tif 000021
2012153565.tif 000022